(57)【要約】      （修正有）【課題】テープを段ボール箱から簡単に切り離すことができ、刃物や鋭利なもので段ボール箱の中身が破損するのを防ぐことができるイージーピール環境対応包装用テープを提供する。【解決手段】包装用テープは、フィルム基材１、接着剤層２及び第１の印刷層３を含む。フィルム基材に第１の面１１及び第２の面１２を有する。第１の面の表面エネルギーが３６ダイン／センチメートル以上である。接着剤層がフィルム基材の第１の面に配置される。接着剤層は、フィルム基材の一方側から他方側に向かって延在する。接着剤層は、フィルム基材の他方側まで延在されないため、フィルム基材における他方側寄りの第１の面に接着剤層が配置されていない。第１の印刷層は印刷でフィルム基材の第１の面に配置される。第１の印刷層がフィルム基材の第１の面に接着剤層が配置されない部分に配置される。第１の印刷層はテープ剥離部を形成する。【選択図】図１
0003231571.tif 000002
【実用新案登録請求の範囲】
【請求項１】
表面エネルギーが３６ダイン／センチメートル以上である第１の面、及び前記第１の面の相対面である第２の面を有するフィルム基材と、
前記フィルム基材の前記第１の面に配置され、前記フィルム基材の一方側から他方側に向かって延在して形成されると共に、フィルム基材の他方側に延在されておらず、前記フィルム基材の他方側との間に間隔が置かれた接着剤層と、
前記フィルム基材の前記第１の面における前記間隔に位置し、前記フィルム基材の第１の面にテープ剥離部が形成されるように印刷される、第１の印刷層と、
を含む、ことを特徴とする、イージーピール環境対応包装用テープ
【請求項２】
前記フィルム基材が第１の幅を、前記接着剤層が第２の幅を、前記第１の印刷層が第３の幅を有し、前記第２の幅と前記第３の幅との和は前記第１の幅に等しい、請求項１に記載のイージーピール環境対応包装用テープ。
【請求項３】
前記第３の幅が前記第２の幅よりも小さい、請求項２に記載のイージーピール環境対応包装用テープ。
【請求項４】
前記第１の印刷層の厚さが前記接着剤層の厚さよりも小さい、請求項１に記載のイージーピール環境対応包装用テープ。
【請求項５】
前記第１の印刷層の印刷のデザインは、色、パターン、符号、商標、文字、又はそれらの組み合わせである、請求項１に記載のイージーピール環境対応包装用テープ。
【請求項６】
前記フィルム基材の第１の面に、前記フィルム基材と前記接着剤層との間に第２の印刷層がさらに配置され、前記第２の印刷層と前記第１の印刷層との印刷のデザインは異なっている、請求項１に記載のイージーピール環境対応包装用テープ。
【請求項７】
前記第２の印刷層の幅と前記接着剤層の幅と等しい、請求項６に記載のイージーピール環境対応包装用テープ。
【請求項８】
前記第１の印刷層の厚さが前記第２の印刷層の厚さと等しい、請求項６に記載のイージーピール環境対応包装用テープ。
【請求項９】
前記第２の印刷層の印刷のデザインは、色、パターン、符号、商標、文字、又はそれらの組み合わせである請求項６に記載のイージーピール環境対応包装用テープ。
【考案の詳細な説明】
【技術分野】
【０００１】
本考案は包装用テープに関し、特に、環境に優しくて（紙類と非紙類との分離が易くなる）かつ、封緘された段ボール箱を開ける時、容易にテープを段ボール箱から完全に切り離せるイージーピール環境対応包装用テープに関する。
【背景技術】
【０００２】
現在、既存の封緘テープは、自動的に封緘するかまたは手動的に封緘するかにもかかわらず、接着剤がテープの一方面の全体に塗布されているため、段ボール箱の上部又は下部の内外フラップが封緘テープで封緘されたときに、封緘テープの全体は、完全に段ボール箱に密着されているため、段ボール箱から切り離すには難しい場合がある。ほとんどの人は、段ボール箱から内容物を取り出すために、ナイフや鋭利な道具を使ってフィルムテープをカットしているが、ナイフや鋭利な道具が段ボール箱の内容物を傷つける。また、フィルムテープがカートンに残ってしまうことは、再生紙のパルプにプラスチックフィルムが汚染の問題につながり、コストを上げて追加の処理ステップで分離しなければならない、リサイクルに悪い影響を与える等の問題が生じる。
【０００３】
また、ポリプロピレンシーリングテープ（Ｂｏｐｐ  ｔａｐｅ）は、商品を梱包して発送するときやサンプルを送るときなど、どこの企業でも広く使われている消耗品で、経済的にもお得である。それは、各家庭で最も手軽に使用できる包装材であり、世界で最も広く使用されているテープ製品でもある。
【考案の概要】
【考案が解決しようとする課題】
【０００４】
本考案が解決しようとする課題は、既存技術の不足に対して、使用者が封緘された段ボール箱を開ける時、容易にテープを段ボール箱から完全に切り離せることができるイージーピール環境対応包装用テープを提供することである。ビニルフィルムと段ボール箱とを完全に分離させることによって、リサイクルに完全な分類ができるため、環境に優しいメリットも期待される。
【課題を解決するための手段】
【０００５】
上記の技術的課題を解決するために、本考案は、下記のようなイージーピール環境対応包装用テープを提供する。イージーピール環境対応包装用テープは、面エネルギーが３６ダイン／センチメートル以上である第１の面、及び前記第１の面の相対面である第２の面を有するフィルム基材と、前記フィルム基材の前記第１の面に配置され、前記フィルム基材の一方側から他方側に向かって延在して形成されるが、フィルム基材の他方側に延在されておらず、前記フィルム基材の他方側との間に間隔が置かれた接着剤層と、前記フィルム基材の前記第１の面における前記間隔に位置して、前記フィルム基材の第１の面にテープ剥離部が形成されるように印刷される第１の印刷層と、を含む。
【０００６】
好ましくは、前記フィルム基材が第１の幅を、前記接着剤層が第２の幅を、前記第１の印刷層が第３の幅を有し、前記第２の幅と前記第３の幅との和が前記第１の幅に等しい。
【０００７】
好ましくは、前記第３の幅は前記第２の幅よりも小さい。
【０００８】
好ましくは、前記フィルム基材の第１の面において、前記フィルム基材と前記接着剤層との間に第２の印刷層が配置され、前記第２の印刷層と前記第１の印刷層との異なる印刷構成に形成される。
【考案の効果】
【０００９】
本考案による有益な効果の１つとしては、本考案が提供イージーピール環境対応包装用テープは、フィルム基材、接着剤層及び第１の印刷層を含む。本考案は主に環境対応に着目して、既存のテープ製品を改良させ、使用者が封緘された段ボール箱を開ける時、容易にテープを段ボール箱から完全に切り離せることができ、ビニルフィルムと段ボール箱とを完全に分離させることによって、リサイクルに完全な分類ができるため、環境に優しいメリットも期待される。
【図面の簡単な説明】
【００１０】
【図１】本考案に係る第１の実施形態のイージーピール環境対応包装用テープを示す断面図である。
【図２】本考案に係る第１の実施形態のイージーピール環境対応包装用テープがロールに巻き取られた状態を示す斜視図である。
【図３】本考案に係る第２の実施形態のイージーピール環境対応包装用テープを示す断面図である。
【図４】本考案に係るテープが段ボール箱に貼り付けた状況を示す斜視模式図である。
【図５】図４のＶ部分においてテープが剥離点で剥がし上げられた状態を示す斜視拡大図である。
【図６】図５におけるテープを剥がれ続ける状況を示す斜視拡大図である。
【図７】本考案に係るテープを段ボール箱の封緘所の他方側に向かって剥がれることを示す斜視模式図である。
【考案を実施するための形態】
【００１１】
考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１２】
下記より、具体的な実施形態により本考案を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
［第１の実施形態］
【００１３】
本考案がイージーピール環境対応包装用テープを提供する。特に、ポリプロピレン（Ｂｏｐｐ）やポリエステル（Ｐｏｌｙｅｓｔｅｒ）などで形成したプラスチックフィルムテープのことを指す。包装用テープとしては、幅４８ｍｍ、６０ｍｍ、７２ｍｍの３種類がよく流通されており、中でも４８ｍｍが最も多く使用されている仕様となっているため、本考案は、幅４８ｍｍのテープを例として説明を行う。
【００１４】
図１を参照されたい。本考案に係るイージーピール環境対応包装用テープは、フィルム基材１、接着剤層２及び第１の印刷層３を含む。前記フィルム基材１としては、ポリプロピレンやポリエステルなど透明性を有するプラスチックフィルムが挙げられるが、前記フィルム基材１の材料は上記の例に制限されない。前記フィルム基材１は長尺状を呈す。前記フィルム基材１は第１の面１１及び第２の面１２を有する。第１の面１１及び第２の面１２は、フィルム基材１では互いに反対面となっている。本考案は、フィルム基材１の第１の面１１に表面エネルギーという特性を高める工夫を加えてもよい。例えば、第２の面１２に特に処理がされないため、表面エネルギーは３１〜３２ダイン／センチメートルとなるが、第１の面１１が処理された場合、第１の面１１の表面エネルギーが３６ダイン／センチメートル以上、好ましくは３８ダイン／センチメートル以上となっている。そのように、第１の印刷層３と接着剤層２が脱落または転移されにくいため、二次加工は必要がなく、省コストのメリットが期待される。
【００１５】
前記接着剤層２がフィルム基材１の第１の面１１に配置される。前記接着剤層２がフィルム基材１の長さ方向に延在する。前記接着剤層２は、フィルム基材１の一方側（例えば、図１における左側）から他方側（例えば、図１における右側）に向かって延在する。前記接着剤層２は、フィルム基材１の他方側まで延在されない。具体的に、前記接着剤層２は、一方側がフィルム基材１の一方側と揃えて、他方側がフィルム基材１の他方側との間に間隔を空けて配置される。そのように、前記フィルム基材１の第１の面１１における他方側の近傍では接着剤層２が配置されないため、前記フィルム基材１の第１の面１１に粘着剤が形成されない部分があって、粘着剤がテープの全表面に塗布されることはない。
【００１６】
前記第１の印刷層３は印刷でフィルム基材１の第１の面１１に配置される。前記第１の印刷層３はフィルム基材１の長さ方向に延在する。前記第１の印刷層３の印刷としては、色、パターン、符号、商標、文字、又はそれらの組み合わせが挙げられるが、前記第１の印刷層３の印刷のデザインは上記の例に制限されない。前記第１の印刷層３は、フィルム基材１の他方側寄りに配置される。前記第１の印刷層３は、フィルム基材１の第１の面１１における接着剤層が配置されない部分に配置される。そのように、前記第１の印刷層３がテープ剥離部（?離エリア）として形成される。上記のように、前記第１の印刷層３の印刷のデザインは、使用者が粘着剤を有しない部分と粘着剤がある部分を容易に見分けて、さらにその粘着剤を有しない部分を掴めて前記テープを段ボール箱から完全に切り離すことができれば、その印刷形式又は構成は制限されない。即ち、使用者が容易にテープを剥がし上げるとなるように、完成したテープの一部に粘着剤が塗布されないと共に、印刷によって使用者が容易に?離エリアを見分けることができるデザインは、全て本考案の均等範囲に当該する。
【００１７】
前記フィルム基材１は第１の幅Ａを有してもよい。前記接着剤層２が第２の幅Ｂを有してもよい。前記第１の印刷層３が第３の幅Ｃを有してもよい。好ましくは、第２の幅Ｂと第３の幅Ｃとの和が第１の幅Ａに等しい。そのように、接着剤層２及び第１の印刷層３の組み合わせはフィルム基材１の第１の面１１にわたって分布される。好ましくは、第３の幅Ｃが第２の幅Ｂよりも狭い、即ち、使用者が?離エリアを認識及び剥がし上げやすければ、前記第１の印刷層３の幅を大きくする必要はない。
【００１８】
本実施形態において、第１の幅Ａは４８ｍｍ、第２の幅Ｂは４４ｍｍ、第３の幅Ｃは４ｍｍである。好ましくは、第３の幅Ｃは３ｍｍ〜５ｍｍであってもよいが、第１の幅Ａ、第２の幅Ｂ及び第３の幅Ｃのサイズは、実際のニーズに応じて変更し得、上記の例に制限されない。フィルム基材１、接着剤層２及び第１の印刷層３の厚さは制限されないが、好ましくは、第１の印刷層３の厚さが接着剤層２の厚さよりも小さい。
【００１９】
テープ製品の幅が揃えていない時、その粘着剤がない（即ち、第１の印刷層３）?離部の幅もそれにつれて変化されてもよい。そのように、使用者の指サイズの多様性にもかかわらず、?離部を容易に剥がれ上げて、封緘テープを完全に段ボール箱と切り離せることができる。段ボール箱に貼り付けるのをより便利にするために、本考案イージーピール環境対応包装用テープが成形された後、ロールに巻き取られてもよい（例えば、図２に示すように）。
［第２の実施形態］
【００２０】
図３を参照されたい。図３は、本考案イージーピール環境対応包装用テープの他の実施形態を示す。本実施形態に係るイージーピール環境対応包装用テープは、フィルム基材１、接着剤層２及び第１の印刷層３を含む。本実施形態と第１の実施形態はほぼ同じであるが、それらの相違点は、本実施形態では、前記フィルム基材１の第１の面１１において、接着剤層が配置されない部分に第１の印刷層３が配置されている他、フィルム基材１と接着剤層２との間に第２の印刷層４がさらに配置される。前記第２の印刷層４の幅は接着剤層２の幅（第２の幅Ｂ）と同じであってもよい。好ましくは、第１の印刷層３の厚さが第２の印刷層４の厚さに等しい。前記第２の印刷層４は、第１の印刷層３と異なる印刷に形成される。第１の印刷層３及び第２の印刷層４は、異なる印刷で?離部を見分けるようになる。前記第２の印刷層４の印刷としては、色、パターン、符号、商標、文字、又はそれらの組み合わせが挙げられるが、前記第２の印刷層４の印刷のデザインは上記の例に制限されない。
【００２１】
図４に示すように、前記テープは、接着剤層２で段ボール箱５の封止口に貼り付けられ、前記段ボール箱５を封緘する。本考案は主に仕様に応じて、透明フィルム基材１に間隔を空けて粘着剤を長尺状に塗布することによって、従来は完全に粘着剤が塗布されていたフィルム基材１が、他方側に粘着剤が塗布されておらず、塗布されていない部分に第１の印刷層３を設けることで、使用者が段ボール箱５を開封しようとするときには、プラスチックフィルムテープの剥離部としての未塗布部分（図５に示すように）を容易に剥がれ上げることができるため、テープを段ボール箱５の封止口の一方側から他方側（図６及び図７に示すように）に剥離し続けることができ、プラスチックフィルムテープを段ボール箱５から完全に分離させることができる。
【００２２】
本考案では、使用者が封緘テープの剥離エリアを明確に区別するために、第１の印刷層３は、粘着剤が塗布されていない位置に設けられている。使用者はこの帯状の印刷領域を剥離部として容易に区別することができる。使用者は、段ボール箱５の封緘された両端の一方からプラスチックフィルムテープを正しく剥がし、そこから他方の端部に向かって剥がすことにより、プラスチックフィルムテープを段ボール箱５から完全に分離することができる。
［産業上の利用性］
【００２３】
本考案イージーピール環境対応包装用テープは、フィルム基材、接着剤層及び第１の印刷層を含む。前記包装用テープは、フィルム基材の両表面の表面エネルギーが異なる特性を利用し、表面エネルギーが高い面に、第１の印刷層又は／及び第２の印刷層を配置する処理を行う。本考案のデザインは、コストの増加は少ないと共に、リサイクルに適し、環境にやさしい。本考案は、粘着剤がない印刷エリアを?離部とすることによって、その剥離部の認識は易くなり、徹底的にテープと段ボール箱又は他の紙製品とを分離させることができる。
【００２４】
以上に開示された内容は本考案の好ましい実施形態に過ぎず、これにより本考案の実用新案登録請求の範囲を制限するものではない。そのため、本考案の明細書及び添付図面の内容に基づき為された等価の技術変形は、全て本考案の実用新案登録請求の範囲に含まれるものとする。
【符号の説明】
【００２５】
１：フィルム基材
１１：第１の面
１２：第２の面
２：接着剤層
３：第１の印刷層
４：第２の印刷層
Ａ：第１の幅
Ｂ：第２の幅
Ｃ：第３の幅
５：段ボール箱
【図１】
0003231571.tif 000003
【図２】
0003231571.tif 000004
【図３】
0003231571.tif 000005
【図４】
0003231571.tif 000006
【図５】
0003231571.tif 000007
【図６】
0003231571.tif 000008
【図７】
0003231571.tif 000009